(57)【要約】【課題】  安価な構成により、オリジナル原稿データとアノテーションデータとが対応した画像データの合成を行えるようにした画像処理システムおよび画像処理方法および画像処理プログラムを提供する。【解決手段】  プロジェクタ２０によりホワイトボード１０に投影されたオリジナル原稿データに対応したアノテーションデータの書き込みがなされると、オリジナル原稿データの投影を一旦停止して、オリジナル原稿データとアノテーションデータとを関連付けるリンク情報を投影する。このリンク情報が投影された状態で、デジタルカメラ４０によってリンク情報とアノテーションデータとが含まれたリンク情報付画像データのキャプチャを行い、画像記憶装置５０へと格納する。画像処理装置６０は、リポジトリ３０に格納されたオリジナル原稿データと、画像記憶装置５０に格納されたリンク情報付画像データとを合成して画像データを生成する。【選択図】  図１
2006108813.tif 000002
【特許請求の範囲】
【請求項１】
オリジナル原稿保存手段に保存されたオリジナル原稿データの画像を画像投影装置により被投影体に投影することにより、前記オリジナル原稿データの画像を表示するとともに、前記被投影体上に該オリジナル原稿データの画像に関連してアノテーションデータを書き込み可能な画像処理システムにおいて、
前記画像投影装置による前記オリジナル原稿データの画像の投影を一時停止し、かつ前記画像投影装置により前記オリジナル原稿データを識別する識別情報の画像が前記被投影体に投影された状態で、前記識別情報の画像を含む前記アノテーションデータの画像を撮影して、識別情報付きのアノテーションデータの画像を取得する画像取得手段と、
前記画像取得手段で取得した前記識別情報付きのアノテーションデータの画像に含まれる識別情報の画像に基づき該当オリジナル原稿の画像と前記アノテーションデータの画像とを合成する画像処理手段と
を具備することを特徴とする画像処理システム。
【請求項２】
前記画像処理手段は、
前記識別情報の画像の位置に基づき前記オリジナル原稿データの画像に対する前記アノテーションデータの画像の位置を特定して、前記オリジナル原稿の画像と前記アノテーションデータの画像とを合成する
ことを特徴とする請求項１記載の画像処理システム。
【請求項３】
前記画像処理手段は、
前記識別情報付きのアノテーションデータの画像に含まれる識別情報の画像とアノテーションデータの画像とを分離するドキュメント情報取得手段と、
前記ドキュメント情報取得手段で分離された識別情報の画像に基づいて前記オリジナル原稿保存手段に保存されたオリジナル原稿データを特定するとともに、該識別情報の画像の位置に基づいて該オリジナル原稿データに対する前記アノテーションデータの画像の位置を特定して、前記オリジナル原稿の画像と前記アノテーションデータの画像とを合成する画像合成手段と
を具備することを特徴とする請求項１または２記載の画像処理システム。
【請求項４】
オリジナル原稿保存手段に保存されたオリジナル原稿データの画像を画像投影装置により被投影体に投影することにより、前記オリジナル原稿データの画像を表示するとともに、前記被投影体上に該オリジナル原稿データの画像に関連してアノテーションデータを書き込み可能な画像処理システムの画像処理方法において、
前記画像投影装置による前記オリジナル原稿データの画像の投影を一時停止するとともに、
前記画像投影装置により前記オリジナル原稿データを識別する識別情報の画像を前記被投影体に投影し、
前記画像投影装置により前記オリジナル原稿データを識別する識別情報の画像が前記被投影体に投影された状態で、前記識別情報の画像を含む前記アノテーションデータの画像を画像撮影装置で撮影し、
該画像撮影装置で撮影した識別情報付きのアノテーションデータの画像を画像取得手段で取得し、
該取得した前記識別情報付きのアノテーションデータの画像に含まれる識別情報の画像に基づき該当オリジナル原稿の画像と前記アノテーションデータの画像とを画像処理手段で合成する
ことを特徴とする画像処理方法。
【請求項５】
オリジナル原稿保存手段に保存されたオリジナル原稿データの画像を画像投影装置により被投影体に投影することにより、前記オリジナル原稿データの画像を表示するとともに、前記被投影体上に該オリジナル原稿データの画像に関連してアノテーションデータを書き込み可能な画像処理システムにおける画像処理をコンピュータにより実行させる画像処理プログラムであって、
前記画像投影装置による前記オリジナル原稿データの画像の投影を一時停止し、かつ前記画像投影装置により前記オリジナル原稿データを識別する識別情報の画像が前記被投影体に投影された状態で、前記識別情報の画像を含む前記アノテーションデータの画像を撮影して取得した識別情報付きのアノテーションデータの画像を入力するステップと、
前記識別情報付きのアノテーションデータの画像に含まれる識別情報の画像とアノテーションデータの画像とを分離するステップと、
該分離された識別情報の画像に基づいて前記オリジナル原稿保存手段に保存されたオリジナル原稿データを特定するとともに、該識別情報の画像の位置に基づいて該オリジナル原稿データに対する前記アノテーションデータの画像の位置を特定するステップと、
該特定された前記アノテーションデータの画像の位置に基づき前記オリジナル原稿の画像と前記アノテーションデータの画像とを合成するステップと
を含むことを特徴とする画像処理プログラム。
【発明の詳細な説明】
【技術分野】
【０００１】
本発明は、画像処理システムおよび画像処理方法および画像処理プログラムに係わり、詳しくは、安価な構成により、オリジナル原稿データとアノテーションデータとが対応した画像データの合成を行えるようにした画像処理システムおよび画像処理方法および画像処理プログラムに関する。
【背景技術】
【０００２】
オフィス等で開催される会議や各種のプレゼンテーションにおいては、一般的に、ホワイトボード等の被投影体にプロジェクタを用いて投影し、投影表示される画像（オリジナル原稿データ）を参照しながら、会議に係わる案件の説明若しくは討論がなされる。また、会議中になされた意見交換などに基づいてホワイトボード上に投影表示される画像に対応してアノテーションが記入される。
【０００３】
このホワイトボードをデジタルカメラなどによりキャプチャすると、オリジナル原稿データと、該データに対するアノテーションとが混在した状態でキャプチャされることとなり、オリジナル原稿データが不鮮明になったり、アノテーションデータのみの判読が難しかった。また、アノテーションデータのみの流用が困難であった。
【０００４】
例えば、オリジナル原稿データとアノテーションとを分離してキャプチャする方法として、デジタルカメラなどでキャプチャする際に、プロジェクタによる投影を中止して、アノテーションのみの表示にし、それをキャプチャするということもできるが、キャプチャしたアノテーションは、単独では意味を持たないものであり、オリジナル原稿データとの関連付けが必要であった。
【０００５】
従来この種の技術においては、例えば、特許文献１記載の「電子黒板装置」が知られている。
【０００６】
この特許文献１の発明は、静止画と筆記画（アノテーション）とを一体的に読み取ることにより正確な合成画像を取得するという技術について言及されている。
【特許文献１】特開２００３−１５２９２７号
【発明の開示】
【発明が解決しようとする課題】
【０００７】
しかしながら、上記特許文献１の発明は、電子黒板装置と投影装置とが一体となった大型装置であるため、汎用性を持ち合わせておらず上述した以外の使用用途がなく、コストも高いものであった。また、取得した合成画像の容量が大きくなることが想定されるが、編集するということは考慮されておらず、取得した合成画像をメールによってやり取りすることが困難であった。
【０００８】
そこで、本発明は上記問題点に鑑みてなされたものであり、ホワイトボードなどの被投影体に投影表示される画像と、該画像に対応するアノテーションとを関連付けた画像データの合成処理を安価な構成により行えるようにした画像処理システムおよび画像処理方法および画像処理プログラムを提供することを目的とする。
【課題を解決するための手段】
【０００９】
上記目的を達成するため、請求項１の発明は、オリジナル原稿保存手段に保存されたオリジナル原稿データの画像を画像投影装置により被投影体に投影することにより、前記オリジナル原稿データの画像を表示するとともに、前記被投影体上に該オリジナル原稿データの画像に関連してアノテーションデータを書き込み可能な画像処理システムにおいて、前記画像投影装置による前記オリジナル原稿データの画像の投影を一時停止し、かつ前記画像投影装置により前記オリジナル原稿データを識別する識別情報の画像が前記被投影体に投影された状態で、前記識別情報の画像を含む前記アノテーションデータの画像を撮影して、識別情報付きのアノテーションデータの画像を取得する画像取得手段と、前記画像取得手段で取得した前記識別情報付きのアノテーションデータの画像に含まれる識別情報の画像に基づき該当オリジナル原稿の画像と前記アノテーションデータの画像とを合成する画像処理手段とを具備することを特徴とする。
【００１０】
また、請求項２の発明は、請求項１の発明において、前記画像処理手段は、前記識別情報の画像の位置に基づき前記オリジナル原稿データの画像に対する前記アノテーションデータの画像の位置を特定して、前記オリジナル原稿の画像と前記アノテーションデータの画像とを合成することを特徴とする。
【００１１】
また、請求項３の発明は、請求項１または２の発明において、前記画像処理手段は、前記識別情報付きのアノテーションデータの画像に含まれる識別情報の画像とアノテーションデータの画像とを分離するドキュメント情報取得手段と、前記ドキュメント情報取得手段で分離された識別情報の画像に基づいて前記オリジナル原稿保存手段に保存されたオリジナル原稿データを特定するとともに、該識別情報の画像の位置に基づいて該オリジナル原稿データに対する前記アノテーションデータの画像の位置を特定して、前記オリジナル原稿の画像と前記アノテーションデータの画像とを合成する画像合成手段とを具備することを特徴とする。
【００１２】
また、請求項４の発明は、オリジナル原稿保存手段に保存されたオリジナル原稿データの画像を画像投影装置により被投影体に投影することにより、前記オリジナル原稿データの画像を表示するとともに、前記被投影体上に該オリジナル原稿データの画像に関連してアノテーションデータを書き込み可能な画像処理システムの画像処理方法において、前記画像投影装置による前記オリジナル原稿データの画像の投影を一時停止するとともに、前記画像投影装置により前記オリジナル原稿データを識別する識別情報の画像を前記被投影体に投影し、前記画像投影装置により前記オリジナル原稿データを識別する識別情報の画像が前記被投影体に投影された状態で、前記識別情報の画像を含む前記アノテーションデータの画像を画像撮影装置で撮影し、該画像撮影装置で撮影した識別情報付きのアノテーションデータの画像を画像取得手段で取得し、該取得した前記識別情報付きのアノテーションデータの画像に含まれる識別情報の画像に基づき該当オリジナル原稿の画像と前記アノテーションデータの画像とを画像処理手段で合成することを特徴とする。
【００１３】
また、請求項５の発明は、オリジナル原稿保存手段に保存されたオリジナル原稿データの画像を画像投影装置により被投影体に投影することにより、前記オリジナル原稿データの画像を表示するとともに、前記被投影体上に該オリジナル原稿データの画像に関連してアノテーションデータを書き込み可能な画像処理システムにおける画像処理をコンピュータにより実行させる画像処理プログラムであって、前記画像投影装置による前記オリジナル原稿データの画像の投影を一時停止し、かつ前記画像投影装置により前記オリジナル原稿データを識別する識別情報の画像が前記被投影体に投影された状態で、前記識別情報の画像を含む前記アノテーションデータの画像を撮影して取得した識別情報付きのアノテーションデータの画像を入力するステップと、前記識別情報付きのアノテーションデータの画像に含まれる識別情報の画像とアノテーションデータの画像とを分離するステップと、該分離された識別情報の画像に基づいて前記オリジナル原稿保存手段に保存されたオリジナル原稿データを特定するとともに、該識別情報の画像の位置に基づいて該オリジナル原稿データに対する前記アノテーションデータの画像の位置を特定するステップと、該特定された前記アノテーションデータの画像の位置に基づき前記オリジナル原稿の画像と前記アノテーションデータの画像とを合成するステップとを含むことを特徴とする。
【発明の効果】
【００１４】
本発明によれば、被投影体に画像投影装置によって表示されたオリジナル原稿データと、該オリジナル原稿データに対応して書き込まれたアノテーションデータとを合成した画像データを取得するために、画像投影装置によるオリジナル原稿データの画像投影を一時停止して、オリジナル原稿データを識別する識別情報の画像を被投影体に投影した状態で、識別情報の画像を含むアノテーションデータの画像を撮影し、識別情報付きのアノテーションデータの画像を取得する。この取得した識別情報付きのアノテーションデータの画像に含まれる識別情報の画像に基づき該当オリジナル原稿の画像とアノテーションデータの画像とを合成するように構成したため、安価な構成により、オリジナル原稿データとアノテーションデータとが対応した画像データの合成を行える。
【発明を実施するための最良の形態】
【００１５】
以下、この発明に係わる画像処理システムおよび画像処理方法および画像処理プログラムの実施例について添付図面を参照して詳細に説明する。
【実施例１】
【００１６】
図１は、本発明に係わる画像処理システムの全体構成を示すブロック図の一例である。
【００１７】
この画像処理システムは、ホワイトボード１０と、プロジェクタ２０と、リポジトリ３０と、デジタルカメラ４０と、画像記憶装置５０と、画像処理装置６０と、合成画像記憶装置７０とを具備して構成される。
【００１８】
ホワイトボード１０は、後述するプロジェクタ２０から投影される画像を表示するための被投影体を示しており、この投影画像に対応してアノテーションデータの書き込み等が会議メンバによってなされる。なお、この被投影体は、投影画像の表示と、該投影画像に対応してアノテーションデータの書き込みが行えるものであれば代替可能である。例えば、電子黒板などでもよい。
【００１９】
プロジェクタ２０は、ホワイトボード１０へ画像を投影する画像投影装置であり、各種処理機能部として、画像をホワイトボード１０へと画像データを投影する画像投影部２１と、後述するリポジトリ３０から画像データを取得する画像取得部２２と、上記画像取得部２２で取得した画像データに関する情報を含む投影画像データを生成するリンク情報生成部２３とを具備して構成される。
【００２０】
リンク情報生成部２３は、画像取得部２２でリポジトリ３０から取得した画像データのファイル名や、投影画像がホワイトボード１０上のどの位置に投影表示されるのかを示すリンク情報（識別情報）を含む投影画像を生成する。以下、このリンク情報生成部２３において生成された投影画像データをリンク情報画像データという。
【００２１】
画像投影部２１は、画像取得部２２により後述するリポジトリ３０から取得された画像データをホワイトボード１０へ投影するか、若しくはリンク情報生成部２３で生成されたリンク情報画像データをホワイトボード１０へ投影するかの切り替えが行える。以上がプロジェクタ２０の内部構成を示す各機能ブロックの説明である。
【００２２】
リポジトリ３０は、上述したプロジェクタ２０からホワイトボード１０へ投影するための画像データ（以下、オリジナル原稿データという）が格納された記憶装置である。なお、このリポジトリ３０は、オリジナル原稿データが記憶できればよく、パーソナルコンピュータ等であってもよい。
【００２３】
デジタルカメラ４０は、投影画像および該投影画像に対応して書き込まれたアノテーションデータを撮影してキャプチャするものである。具体的には、プロジェクタ２０において、リンク情報画像データが投影された状態で、ホワイトボード１０に書き込まれたアノテーションデータをキャプチャする。このキャプチャされた画像データ（以下、リンク情報付画像データ）は、後述する画像記憶装置５０へと格納される。
【００２４】
画像記憶装置５０は、上述したデジタルカメラ４０でキャプチャされたリンク情報付画像データを記憶するための記憶装置である。なお、この画像記憶装置５０は、デジタルカメラ４０でキャプチャした画像を記憶できればよく、デジタルカメラ４０に装着するフラッシュメモリでもよいし、パーソナルコンピュータ等であってよい。
【００２５】
画像処理装置６０は、ホワイトボード１０へオリジナル原稿データを元に投影された投影画像と、該投影画像に対応して書き込まれたアノテーションデータとを合成して、後述する合成画像記憶装置７０へと合成画像データを格納する装置であり、各種処理機能部として、ドキュメント情報取得部６１と、画像合成部６２とを具備して構成される。
【００２６】
ドキュメント情報取得部６１は、リンク情報とアノテーションデータとを分離する処理部である。具体的には、デジタルカメラ４０でキャプチャされたリンク情報付画像データから、リンク情報と、アノテーションデータとを分離する。この分離したデータは画像合成部６２へと連携する。
【００２７】
画像合成部６２は、ドキュメント情報取得部６１によって分離されたリンク情報に基づいて、リポジトリ３０に格納されるオリジナル原稿データと、ドキュメント情報取得部６１によって分離されたアノテーションデータとを合成される処理部である。この合成画像データは、後述する合成画像記憶装置７０へと格納される。以上が画像処理装置６０の内部構成を示す各機能ブロックの説明である。
【００２８】
合成画像記憶装置７０は、上述した画像処理装置６０で合成された合成画像データを記憶するための記憶装置である。なお、この合成画像記憶装置７０は、必ずしも必要なものではなく、合成画像を所望する都度、画像処理装置６０で合成画像データを生成するようにした場合、特に合成画像記憶装置７０で合成画像を記憶しておく必要はなくなる。
【００２９】
以上が本発明に係わる画像処理システムの概略構成を示す各機能ブロックの説明である。
【００３０】
ここで、図２乃至４を参照しながら、ホワイトボード１０において投影表示されるオリジナル原稿データと、該データに対応して書き込まれるアノテーションデータについて説明する。
【００３１】
まず、図２は、ホワイトボード１０に投影表示されるオリジナル原稿データと、該データに対応して書き込まれたアノテーションデータの一例を示す図である。
【００３２】
同図に示すように、ホワイトボード１０には、図３（ａ）に示すオリジナル原稿データに対応して、図３（ｂ）に示すアノテーションデータが書き込まれたものである。
【００３３】
図２に示す状態において、プロジェクタ２０によるオリジナル原稿データの表示を停止して、リンク情報画像データを投影した場合のホワイトボード１０は図４に示される。
【００３４】
図４に示すように、ホワイトボード１０には、アノテーションデータと、リンク情報とがホワイトボード１０に投影表示されている。リンク情報として、アノテーションデータに対応するオリジナル原稿データのファイル名１０１と、投影画像がホワイトボード１０上のどの位置に表示されているのかを示すエリア情報１０２とが表示されている。
【００３５】
このようなファイル名１０１およびエリア情報１０２をリンク情報としてホワイトボード１０に投影表示した状態で、デジタルカメラ４０によってホワイトボード１０を撮影し、アノテーションデータを含めた画像データをキャプチャする。画像処理装置６０の画像合成部６２は、このキャプチャしたリンク情報付画像データに含まれるファイル名により、リポジトリ３０に格納されるオリジナル原稿データから、該当する画像データを取得する。また、該当する画像データを取得すると、このファイル名１０１若しくはエリア情報１０２に基づいて、アノテーションデータがオリジナル原稿データのどの部分に対応して書き込まれたものなのかを計算して合成することとなる。
【００３６】
図５は、本発明に係わる画像処理システムにおける画像処理の流れを示したシーケンスチャート図である。なお、ここでは、ホワイトボード１０に投影されたオリジナル原稿データを参照しながら会議を進行する場合を説明する。
【００３７】
まず、リポジトリ３０に格納されたオリジナル原稿データをプロジェクタ２０によりホワイトボード１０に投影する（ステップＳ１０１）。具体的には、リポジトリ３０に格納されたオリジナル原稿データをプロジェクタ２０の画像取得部２２で取得し、該取得されたオリジナル原稿データを画像投影部２１によりホワイトボード１０へと投影する。
【００３８】
ホワイトボード１０にオリジナル原稿データの投影が行われると、会議メンバなどによって、投影表示されたオリジナル原稿データに対応したアノテーションデータの書き込みが行われる（ステップＳ１０２）。このとき、ホワイトボード１０は、上記図２で説明したようなオリジナル原稿データと該データに対応したアノテーションデータが書き込まれた状態となる。
【００３９】
アノテーションデータの書き込みがなされた後、会議が終了すると、プロジェクタ２０によるホワイトボード１０へのオリジナル原稿データの投影を一旦停止する（ステップＳ１０３）。このとき、ホワイトボード１０には、会議中に書き込まれたアノテーションデータのみが残った状態となる。
【００４０】
続いて、プロジェクタ２０は、リンク情報画像データをホワイトボード１０へと投影する（ステップＳ１０４）。具体的には、ステップＳ１０１でホワイトボード１０に投影表示されていたオリジナル原稿データ基づいて、リンク情報生成部２３で該オリジナル原稿データのファイル名や、表示するエリア情報などを生成し、該生成されたリンク情報画像データを画像投影部２１によりホワイトボード１０へと投影する。
【００４１】
ホワイトボード１０にリンク情報画像データの投影が行われると、デジタルカメラ４０でホワイトボード１０を撮影し（ステップＳ１０５）、リンク情報画像データとアノテーションデータとが含まれる画像データをキャプチャする。このキャプチャしたリンク情報付画像データは、画像記憶装置５０へと格納される（ステップＳ１０６）。このデジタルカメラ４０による撮影時には、ホワイトボード１０は、上記図４で説明したようなリンク情報画像データとアノテーションデータが書き込まれた状態となる。
【００４２】
ホワイトボード１０のキャプチャが終了すると、プロジェクタ２０は、リンク情報画像データの投影を停止して（ステップＳ１０７）、再び、ステップＳ１０１で投影表示したオリジナル原稿データをホワイトボード１０に投影する（ステップＳ１０８）。なお、上述したステップＳ１０３からステップＳ１０８までの処理を自動で行うようにしてもよい。すなわち、デジタルカメラ４０によるホワイトボード１０撮影に際して、撮影ボタンの押下とともに、プロジェクタ２０でオリジナル原稿データの投影を停止し、リンク情報画像データの投影を行う。撮影終了とともに、元のオリジナル原稿データの投影を行うこととなる。
【００４３】
ここで、画像処理装置６０による合成処理が始まる。すなわち、画像記憶装置５０に記憶されたリンク情報付画像データと、リポジトリ３０に格納されたオリジナル原稿データとが画像処理装置６０へと連携され（ステップＳ１０９）、これら画像データを用いて、オリジナル原稿データとアノテーションデータとを合成する。
【００４４】
リンク情報付画像データの連携を受けた画像処理装置６０は、ドキュメント情報取得部６１でリンク情報付画像データに含まれるリンク情報とアノテーションデータとを分離させる（ステップＳ１１０）。
【００４５】
続いて、画像合成部６２でリンク情報に基づいてオリジナル原稿データとアノテーションデータの合成が行われる（ステップＳ１１１）。具体的には、上記ステップＳ１１０で分離したリンク情報に基づいてリポジトリ３０に格納されたオリジナル原稿データから、該当するオリジナル原稿データを取得するとともに、エリア情報を考慮した上で、アノテーションデータがオリジナル原稿データのどの部分と対応しているのかを計算して、オリジナル原稿データとアノテーションデータを合成する。
【００４６】
この生成された合成画像データを合成画像記憶装置７０へと格納後（ステップＳ１１２）、この処理を終了する。
【００４７】
以上説明したように本発明においては、ホワイトボード１０に投影表示されたオリジナル原稿データと、該データに対応して書き込まれたアノテーションデータとを関連付けた画像データを合成するために、オリジナル原稿データの投影を一旦停止して、オリジナル原稿データとアノテーションデータとを関連付けるためのリンク情報画像データを投影表示し、その表示とともにデジタルカメラ４０でリンク情報付画像データをキャプチャして、キャプチャしたリンク情報付画像データに基づいて、オリジナル原稿データとアノテーションデータとを対応して合成するように構成したため、コストをかけることなく、オリジナル原稿データとアノテーションデータとが対応した画像データの合成が可能となる。
【００４８】
なお、この画像処理システムにおける上記画像処理は、プロジェクタ２０、画像処理装置６０にそれぞれインストールされた画像処理プログラムにより実行するように構成することができる。
【００４９】
この他、本発明は、上記および図面に示す実施例に限定することなく、その要旨を変更しない範囲内で適宜変形して実施できるものである。例えば、上記実施例においては、プロジェクタ２０のリンク情報生成部２３でリンク情報画像データを生成するように構成したが、このリンク情報画像データを予めリポジトリ３０に格納しておいてもよい。その場合、従来のプロジェクタ２０によって本発明を実施することが可能となる。
【００５０】
また、リンク情報を紙などに印刷しておいて、アノテーションデータ記入時にその紙をホワイトボード１０に貼り付けておいてもよい。その場合は、アノテーションデータ撮影時にデジタルカメラ１０のフラッシュを使用することが可能となる。
【産業上の利用可能性】
【００５１】
本発明の画像処理システムおよび画像処理方法および画像処理プログラムは、会議や各種のプレゼンテーションにおいて、ホワイトボード等の被投影体に投影表示された画像に対応して書き込まれたアノテーションデータと、該投影表示された画像とを関連付けた画像データを合成する場合に有効であり、特に、会議などが頻繁に行われるオフィス等で有効利用することができる。
【図面の簡単な説明】
【００５２】
【図１】本発明に係わる画像処理システムの全体構成を示すブロック図の一例である。
【図２】ホワイトボード１０に投影表示される態様の一例を示す図である（オリジナル原稿データおよびアノテーションデータ）。
【図３】図２に示すオリジナル原稿データとアノテーションデータとを別々に示した図である。
【図４】ホワイトボード１０に投影表示される態様の一例を示す図である（リンク情報画像データおよびアノテーションデータ）。
【図５】本発明に係わる画像処理システムにおける画像処理の流れを示したシーケンスチャート図である。
【符号の説明】
【００５３】
１０    ホワイトボード
２０    プロジェクタ
２１    画像投影部
２２    画像取得部
２３    リンク情報生成部
３０    リポジトリ
４０    デジタルカメラ
５０    画像記憶装置
６０    画像処理装置
６１    ドキュメント情報取得部
６２    画像合成部
７０    合成画像記憶装置
【図１】
2006108813.tif 000003
【図２】
2006108813.tif 000004
【図３】
2006108813.tif 000005
【図４】
2006108813.tif 000006
【図５】
2006108813.tif 000007